(57)【要約】【課題】本発明は、情報を破損する切り落とし部分がなく美観を損ねる封緘片もなく、容易に開封することができると共に開封後の表面が補強され、さらに美観が向上する折り畳み封書及びその製造方法を提供するものである。【解決手段】封書の本体を構成する折り線から折畳まれた二葉片の内の少なくとも一方の葉片の外側に折り線を介して連続する複数の葉片が前記封書の本体を構成する二葉片の対向面間に挟み込まれる状態に折り畳まれた折り畳み封書であって、折り畳み後封書の本体を構成する二葉片の表出する面に前記折り畳み封書の天地辺からはみ出した状態でフィルムシートが被覆され、最初の開封が実行される対向葉片の開封縁辺に沿って天地辺からはみ出した状態で被覆された疑似接着フィルムシートの前記天地からはみ出した部分及び封書の本体を構成する二葉片の天地辺からはみ出したフィルムシートにより各葉片の天地辺が剥離可能に封緘されていることを特徴とした折り畳み封書により解決される。【選択図】図１
2017114104.tif 000002
【特許請求の範囲】
【請求項１】
封書の本体を構成する折り線から折畳まれた二葉片の内の少なくとも一方の葉片の外側に折り線を介して連続する複数の葉片が前記封書の本体を構成する二葉片の対向面間に挟み込まれる状態に折り畳まれた折り畳み封書であって、折り畳み後封書の本体を構成する二葉片の表出する面に前記折り畳み封書の天地辺からはみ出した状態でフィルムシートが被覆され、最初の開封が実行される対向葉片の開封縁辺に沿って天地辺からはみ出した状態で被覆された疑似接着フィルムシートの前記天地からはみ出した部分及び封書の本体を構成する二葉片の天地辺からはみ出したフィルムシートにより各葉片の天地辺が剥離可能に封緘されていることを特徴とした折り畳み封書。
【請求項２】
封書の本体を構成する折り線から折畳まれた二葉片の内の少なくとも一方の葉片の外側に折り線を介して連続する複数の葉片が前記封書の本体を構成する二葉片の対向面間に挟み込まれる状態に折り畳まれた折り畳み封書であって、折り畳み後封書の本体を構成する二葉片の表出する面に前記折り畳み封書の天地辺からはみ出した状態でフィルムシートが被覆され、最初の開封が実行される対向葉片の開封縁辺に沿って天地辺からはみ出した状態で被覆された疑似接着フィルムシートの前記天地からはみ出した部分及び封書の本体を構成する二葉片の天地辺からはみ出したフィルムシートにより各葉片の天地辺が剥離可能に封緘されていることを特徴とした折り畳み封書の製造方法であって、折り線を介して横方向に複数の葉片が連接された封書シートを繰り出す繰り出し工程、繰り出された封書シートの封書の本体を構成する二葉片の折り畳み後表出する面にフィルムシート及び最初の開封が実行される対向葉片の開封縁辺の疑似接着予定面に疑似接着フィルムシートを被覆する被覆工程、フィルムシート及び疑似接着フィルムシートが被覆され長尺状に繋がった封書シートを連続的に折り畳む折り畳み工程、折り畳まれた封書シートを個別に断裁する断裁工程、個別に断裁された封書シートの疑似接着予定面及び天地辺のはみ出した各フィルムシートを剥離可能に接着する一体化工程とからなることを特徴とした折り畳み封書の製造方法。
【発明の詳細な説明】
【技術分野】
【０００１】  本発明は、複数の葉片を折り畳み剥離可能に一体化することで大量の情報を送付することが可能になる折り畳み封書とその製造方法に関する。
【背景技術】
【０００２】  長尺シートを折り畳み、封書として利用する封書用シートが特開２００４−１３１１１５号公報に開示されている。このものは複数の情報通信シート片を封筒本体片に折り畳み巻き込み、各片の封緘辺に形成された感圧性接着剤で封緘するものである。そして開封時に前記感圧接着剤を含む両端縁部及び封緘片を切り離し開封する。
【先行技術文献】
【０００３】
【特許文献】
【特許文献】  特開２００４−１３１１１５号公報
【発明の概要】
【発明が解決しようとする課題】  前記引用文献の封書は、封書左右の両端縁部を切り落とし、さらに封緘片を封筒本体に残したまま切り離して開封する。従って前記左右の両端縁部分まで情報の記載に供することはできず、また封緘片が残る封筒本体部分も同様なため、それだけ情報の記載量が制限される。また、前記切り落とし方式は重要な情報記載部分まで誤って破損してしまい情報の判読が不能になるばかりか開封後の美観を著しく損ねる。また封筒本体に残ったままの封緘片は保存の邪魔になり、前記切り落とし方式と同様で美観を損ねる原因になる。【０００４】  本発明は上記問題に鑑み、情報を破損する切り落とし部分がなく美観を損ねる封緘片もなく、容易に開封することができると共に開封後の表面が補強され、さらに美観が向上する折り畳み封書及びその製造方法を提供するものである。
【課題を解決するための手段】
【０００５】  上記課題を解決するために本発明の折り畳み封書は、封書の本体を構成する折り線から折畳まれた二葉片の内の少なくとも一方の葉片の外側に折り線を介して連続する複数の葉片が前記封書の本体を構成する二葉片の対向面間に挟み込まれる状態に折り畳まれた折り畳み封書であって、折り畳み後封書の本体を構成する二葉片の表出する面に前記折り畳み封書の天地辺からはみ出した状態でフィルムシートが被覆され、最初の開封が実行される対向葉片の開封縁辺に沿って天地辺からはみ出した状態で被覆された疑似接着フィルムシートの前記天地からはみ出した部分及び封書の本体を構成する二葉片の天地辺からはみ出したフィルムシートにより各葉片の天地辺が剥離可能に封緘されていることを特徴としている。【０００６】  また上記課題を解決するために本発明の折り畳み封書の製造方法は、封書の本体を構成する折り線から折畳まれた二葉片の内の少なくとも一方の葉片の外側に折り線を介して連続する複数の葉片が前記封書の本体を構成する二葉片の対向面間に挟み込まれる状態に折り畳まれた折り畳み封書であって、折り畳み後封書の本体を構成する二葉片の表出する面に前記折り畳み封書の天地辺からはみ出した状態でフィルムシートが被覆され、最初の開封が実行される対向葉片の開封縁辺に沿って天地辺からはみ出した状態で被覆された疑似接着フィルムシートの前記天地からはみ出した部分及び封書の本体を構成する二葉片の天地辺からはみ出したフィルムシートにより各葉片の天地辺が剥離可能に封緘されていることを特徴とした折り畳み封書の製造方法であって、折り線を介して横方向に複数の葉片が連接された封書シートを繰り出す繰り出し工程、繰り出された封書シートの封書の本体を構成する二葉片の折り畳み後表出する面にフィルムシート及び最初の開封が実行される対向葉片の開封縁辺の疑似接着予定面に疑似接着フィルムシートを被覆する被覆工程、フィルムシート及び疑似接着フィルムシートが被覆され長尺状に繋がった封書シートを連続的に折り畳む折り畳み工程、折り畳まれた封書シートを個別に断裁する断裁工程、個別に断裁された封書シートの疑似接着予定面及び天地辺のはみ出した各フィルムシートを剥離可能に接着する一体化工程とからなることを特徴としている。【０００７】  本発明の折り畳み封書に使用される封書用紙は、上質紙、マット紙、コート紙等の一般的な用紙以外に、合成紙、不織布、合成樹脂等を使用することができる。【０００８】  また本発明に使用されるフィルムシートは図１３（Ａ）に示すように、例えばポリエチレンテレフタレートや二軸延伸ポリプロピレン等の基材５１の一方の面に、感熱接着剤層５２を形成した公知のプリントラミネート用のものを、また疑似接着フィルムシートは前記フィルムシートの基材５１の感熱接着剤層５２と逆側の面に疑似接着層５３を形成した公知のプリントラミネート用のものを好適に使用することができる。【０００９】  前記疑似接着フィルムシートは、例えば一枚の印刷物の表面に被覆して表面の疑似接着層同士が対向する状態に折り畳み加圧或いは加熱・加圧処理を施すと、対向する疑似接着層同士が剥離可能に接着（以下疑似接着という）するものである。【００１０】  本発明の折り畳み封書は、例えば封書本体を形成する二葉片及び前記二葉片の外側に折り線を介して連接されると共に内側へ折り込まれた複数の葉片からなる。そして前記封書本体を形成する二葉片の折り畳み後の表出面には、天地からはみ出した状態でフィルムシートが被覆され、また内部に折り畳まれて挟み込まれる任意の葉片の開封縁辺に沿って天地からはみ出した状態で疑似接着フィルムシートが被覆され折り畳み封書の天地の横方向の縁辺が剥離可能に封緘されている。又縦方向の縁辺は、前記内部に折り畳まれて挟み込まれる任意の葉片の開封縁辺に沿って天地からはみ出した状態で被覆された疑似接着フィルムシートにより剥離可能に封緘されている【００１１】  なお、本発明の折り畳み封書の製造方法において、当初の繰り出し工程により繰り出される折り畳み封書用紙の態様は、全面的に平面に展開された状態であっても或いは複数段階ある折り畳み工程中の任意の段階まで折り畳んだ状態で繰り出されても構わない。何れにしても封筒本体を構成する二葉片の表出面と任意の疑似接着予定面に各種フィルムシートが被覆可能な段階までの折り畳みが可能である。【００１２】  本発明の折り畳み封書の受取人は、当初折り畳み封書の本体を構成する二葉片を剥離して開封した後に、内部から現れる重なり合う葉片を連続的に剥離して、最終的に平面に展開することができる。そして疑似接着フィルムシート或いはフィルムシートに被覆された各種情報は前記透明或いは半透明な各種フィルムシートを透して確認でき、その他の各種フィルムシートが被覆されていない葉片面の一般情報はそのまま確認できるのである。
【発明の効果】
【００１３】  本発明の折り畳み封書は、封緘されている何れの縁辺も切取ることなく開封することが出来る。従って葉片の全面を情報掲載に利用することができる。また切取りに際して誤って内部の情報を破損する心配もなく本体に付着して残存する封緘片もない。【００１４】  折り畳み封書の開封後の葉片表面は、個人情報が記載された葉片面はフィルムシート或いは疑似接着フィルムシートにより被覆されているため、その部分に関しては改竄の恐れがない。またフィルムシート或いは疑似接着フィルムにより補強されると共に郵送中の水濡れによる情報の破損の心配がない。【００１５】  また本発明の折り畳み封書は、各葉片を剥離開封すると最終的に全面的に平面状態に展開され、さらに疑似接着フィルムシートが被覆された葉片面の艶出し或いは艶消し効果も相まって美観が著しく向上する。
【図面の簡単な説明】
【００１６】
【図１】（Ａ）は折り畳み封書Ｊ１の表面図、（Ｂ）は裏面図、（Ｃ）は（Ａ）におけるＩ−Ｉ線断面図である。
【図２】（Ａ）は図１（Ａ）におけるＩＩ−ＩＩ線断面図、（Ｂ）はＩＩＩ−ＩＩＩ線断面図である。
【図３】（Ａ）は各被覆予定面に疑似接着フィルムシートＧ及びフィルムシートＦが被覆された状態の封書シートＳ１の表面図、（Ｂ）は裏面図、（Ｃ）は（Ａ）におけるＩＶ−ＩＶ線断面図である。
【図４】（Ａ）は第三葉片３が折り線５から内側へ折り畳まれた封書シートＳ１の平面図、（Ｂ）は（Ａ）におけるＶ−Ｖ線断面図である。
【図５】（Ａ）は折り畳み封書Ｊ２の表面図、（Ｂ）は裏面図、（Ｃ）は（Ａ）におけるＶＩ−ＶＩ線断面図である。
【図６】（Ａ）は各被覆予定面に疑似接着フィルムシートＧ及びフィルムシートＦが被覆された状態の封書シートＳ２の表面図、（Ｂ）は裏面図、（Ｃ）は（Ａ）におけるＶＩＩ−ＶＩＩ線断面図である。
【図７】（Ａ）は折り畳み封書Ｊ３の表面図、（Ｂ）は裏面図、（Ｃ）は（Ａ）におけるＶＩＩＩ−ＶＩＩＩ線断面図である。
【図８】（Ａ）は各被覆予定面に疑似接着フィルムシートＧ及びフィルムシートＦが被覆された状態の封書シートＳ３の表面図、（Ｂ）は裏面図、（Ｃ）は（Ａ）におけるＩＸ−ＩＸ線断面図である。
【図９】（Ａ）は第一葉片２１及び第四葉片２４がそれぞれ折り線２５及び２７から内側へ折り畳まれた封書シートＳ３の平面図、（Ｂ）は（Ａ）におけるＸ−Ｘ線断面図である。
【図１０】（Ａ）は折り畳み封書Ｊ４の表面図、（Ｂ）は裏面図、（Ｃ）は（Ａ）におけるＸＩ−ＸＩ線断面図である。
【図１１】（Ａ）は各被覆予定面に疑似接着フィルムシートＧ及びフィルムシートＦが被覆された状態の封書シートＳ４の表面図、（Ｂ）は裏面図、（Ｃ）は（Ａ）におけるＸＩＩ−ＸＩＩ線断面図である。
【図１２】（Ａ）は第一葉片３１及び第六葉片３６をそれぞれ折り線３７及び４１から内側へ折り畳んだ封書シートＳ４の断面図、（Ｂ）は（Ａ）をさらに折り線３８及び４０から内側へ折り畳んだ断面図である。
【図１３】（Ａ）はフィルムシートＦの部分拡大断面図、（Ｂ）は疑似接着フィルムシートＧの部分拡大断面図である。
【発明を実施するための最良の形態】
【００１７】  以下、本発明を図面に沿って分かりやすく説明する。
［実施例１：折り畳み封書Ｊ１］
図１（Ａ）、（Ｂ）及び（Ｃ）に示すように本実施例の折り畳み封書Ｊ１は、折り線４から折畳まれて対向する封書本体を形成する第一葉片１及び第二葉片２の間に、第二葉片２と折り線５で連接された第三葉片３が巻折り状態で折り込まれた形態となっている。そして図１（Ｃ）、図２（Ａ）及び（Ｂ）に示すように、第一葉片１と第三葉片３が開封縁辺に沿って被覆されている疑似接着フィルムシートＧ同士の疑似接着により剥離可能に接着しており、それ以外の対向する葉片同士の各部分は接着することなく折り畳まれたままの状態である。【００１８】  この封書は対向する第一葉片１と第三葉片３の開封縁辺に沿って被覆されている疑似接着フィルムシートＧ同士の間から剥離が開始され、最終的に図３（Ａ）、（Ｂ）及び（Ｃ）に示す様に平面に展開される。なお平面展開後の折り畳み封書Ｊ１は図３（Ａ）に示すように、第一葉片１及び第二葉片２の全面にフィルムシートＦが、そして第三葉片の開封縁辺に沿った一部分が帯状に疑似接着フィルムシートＧにより被覆されており、また同図（Ｂ）に示すように第一葉片１裏面の開封縁辺に沿った一部分が帯状に疑似接着フィルムシートＧが被覆されている。【００１９】  なお、本実施例及び以後の実施例において破線で示す折り線には、折りミシンや折り筋等の折り手段が形成されていても構わず、或いは何も施されないまま折り機等により折り畳まれても構わない。また前記折りミシンは封書用紙のみを貫通していても或いは封書用紙に被覆されている疑似接着フィルムシートの両者を貫通していても構わない。【００２０】［実施例２：折り畳み封書Ｊ１の製造方法］
図３（Ａ）及び（Ｂ）に示すように本発明の折り畳み封書Ｊ１の製造に使用する封書シートＳ１は、第一葉片１、第二葉片２及び第三葉片３がそれぞれ折り線４及び５を介して横方向に連接されている。そして前記構成の封書シートＳ１は、公知のラミネータに積載され一枚ずつ等間隔で繰り出されると、図３（Ａ）、（Ｂ）及び（Ｃ）に示すように疑似接着フィルムシートＧ及びフィルムシートＦがそれぞれの予定面に被覆される。なお、図３において、便宜上単品の封書シートＳ１で表示しているが、前記各種フィルムシートはロールから切れ目なく繰り出されるために、被覆後の封書シートＳ１は前記各種フィルムシートにより連続状態となっており、そのまま下流の折り畳み工程へ送られる。【００２１】  前記折り畳み工程で封書シートＳ１は、図４（Ａ）及び（Ｂ）に示すように、第三葉片３を折り線５から第二葉片２側へ対向するように連続的に折り畳まれる。【００２２】  なお、封書シートＳ１は繰り出される段階で、図４に示す片袖折り状態に折り畳んでおいても構わず、前記状態のまま表裏面の各種予定面に各種フィルムシートを被覆しても構わない。なお、折り数の多い後述する折り畳み封書Ｊ２、Ｊ３及びＪ４の製造方法においても、任意の折り畳み段階で繰り出し工程から繰り出して構わない。【００２３】  既述のように折り畳まれて各種フィルムシートに被覆され連続状態となった封書シートＳ１は、フィルムが天地からはみ出した状態で個別に断裁され、図１に示す状態（接着は実行されていない）で続く一体化工程へと送られる。【００２４】  そして前記一体化工程で封書シートＳ１は、例えばヒータパネルと加圧ローラの組み合せからなる一体化装置（ヒートローラ等の加熱・加圧装置でも構わない）により加熱・加圧処理が施され、対向する疑似接着フィルムシートＧ同士が剥離可能に疑似接着されると共に、天地の縁辺からはみ出したフィルムシート同士は感熱接着剤層５２に剥離可能に封緘されて折り畳み封書Ｊ１として完成される。【００２５】［実施例３：折り畳み封書Ｊ２］
図５（Ａ）、（Ｂ）及び（Ｃ）に示すように本実施例の折り畳み封書Ｊ２は、折り線１５から折畳まれて対向する封書本体を形成する第一葉片１１及び第二葉片１２の間に、第二葉片１２と折り線１６及び折り線１７で連接された第三葉片１３及び第四葉片１４が巻折り状態で折り込まれた形態となっている。【００２６】  そして図５（Ｃ）に示すように、折り畳み封書Ｊ２は第一葉片１１と第三葉片１３の開封縁辺に沿った一部分がそれぞれ帯状に疑似接着フィルムシートＧにより被覆され、前記対向する疑似接着フィルムシートＧ同士が剥離可能に接着されている。また巻折り状態で重なり合う第二葉片１２、第四葉片１４、第三葉片１３及び第三葉片１３と第一葉片１１の疑似接着フィルムシートＧが被覆されていない部分は、それぞれ接着することなく封書の内部に折り畳まれた状態である。【００２７】  この封書は対向する第一葉片１１と第三葉片１３の疑似接着フィルムシートＧ同士の間から剥離が開始され、最終的に図６（Ａ）、（Ｂ）及び（Ｃ）に示す様に平面に展開される。なお平面展開後の折り畳み封書Ｊ２は図６（Ａ）に示すように、第一葉片１１及び第二葉片１２の全面にフィルムシートＦが被覆されており、第三葉片１３の開封縁辺に沿った帯状の一部分が疑似接着フィルムシートＧにより被覆されている。また同図（Ｂ）に示すように、第一葉片１１裏面の開封縁辺に沿った帯状の一部分が疑似接着フィルムシートＧにより被覆されている。【００２８】［実施例４：折り畳み封書Ｊ２の製造方法］
図６（Ａ）に示すように本発明の折り畳み封書Ｊ２の製造に使用する封書シートＳ２は、第一葉片１１、第二葉片１２、第三葉片１３及び第四葉片１４がそれぞれ折り線１５、１６及び１７を介して横方向に連接されている。そして公知のラミネータに積載され一枚ずつ繰り出されると、図６（Ａ）、（Ｂ）及び（Ｃ）に示すように疑似接着フィルムシートＧ及びフィルムシートＦがそれぞれの予定面に被覆される。なお前記各種フィルムシートの被覆はロールから切れ目なく繰り出されるため、順次繰り出される封書シートＳ２は前記各種フィルムシートに被覆されて連続状態となり下流の折り畳み工程へ送られる。【００２９】  そして最初に折り線１７から第四葉片１４が第三葉片１３の裏面側へ折り畳まれた後に、続いて折り線１６から前記第四葉片１４及び第三葉片１３が一緒に第二葉片１２の裏面側へ折り畳まれて図５に示す折り形態になる。【００３０】  既述のように各種フィルムシートにより被覆され連続状態となると共に折り畳まれた封書シートＳ２は、各種フィルムシートが被覆された各葉片の天地からはみ出した状態で個別に断裁され、図５（Ａ）、（Ｂ）及び（Ｃ）に示す状態で（接着は実行されていない）続く一体化工程へと送られる。【００３１】  前記一体化工程では、例えばヒータパネルと加圧ローラの組み合わせからなる一体化装置（ヒートローラ等の加熱・加圧装置でも構わない）により加熱・加圧処理が施され、対向する疑似接着フィルムシートＧ同士が剥離可能に疑似接着一体化されて折り畳み封書Ｊ２として完成される。【００３２】［実施例５：折り畳み封書Ｊ３］
本実施例の折り畳み封書Ｊ３は図７（Ａ）、（Ｂ）及び（Ｂ）に示すように、封書本体を形成する第二葉片２２及び第三葉片２３の折り畳まれた対向面間に、それぞれの葉片に連接する第一葉片２１及び第四葉片２４が折り畳まれて挟み込まれる観音開き折りの形態となっている。【００３３】  この折り畳み封書の受取人は、第一葉片２１及び第四葉片２４の間に介在する疑似接着フィルムシートＧ同士の間から剥離を開始する。その後内側に折り畳まれていた第一葉片２１及び第四葉片２４を開いて図８（Ａ）、（Ｂ）及び（Ｃ）に示すように平面に展開することができる。そして透明或いは半透明の各種フィルムシートが被覆されている面は前記各種フィルムシートを透して、或いは何も被覆されていない面はそのまま各種情報を読み取ることが出来るのである。【００３４】［実施例６：折り畳み封書Ｊ３の製造方法］
図８（Ａ）に示すように本発明の折り畳み封書Ｊ３の製造に使用する封書シートＳ３は、第一葉片２１、第二葉片２２、第三葉片２３及び第四葉片２４が折り線２５、２６及び２７を介して横方向に連接されている。そして公知のラミネータに積載され一枚ずつ繰り出されると、図８（Ａ）、（Ｂ）及び（Ｃ）に示すように疑似接着フィルムシートＧ及びフィルムシートＦがそれぞれの予定面に被覆される。なお前記各種フィルムシートはロールから連続的に繰り出されるために、順次繰り出される封書シートＳ３は前記各種フィルムシートに被覆され切れ目のない連続状態となり下流の折り畳み工程へ送られる。【００３５】  折り畳み工程では初めに図９（Ａ）及び（Ｂ）に示すように、第一葉片２１が折り線２５から第二葉片２２裏面側へ折り畳まれると共に第四葉片２４が折り線２７から第三葉片２３裏面側へ折り畳まれる。そしてその後に前記折り畳まれた第一葉片２１と第二葉片２２及び第四葉片２４と第三葉片２３が折り線２６から第一葉片２１表面及び第四葉片２４表面同士が対向するように折り畳まれる。【００３６】  既述の通り折り畳まれた封書シートＳ３は、フィルムが各葉片の天地からはみ出した状態で個別に断裁され、図７（Ａ）、（Ｂ）及び（Ｃ）に示す状態（接着は実行されていない）となり続く一体化工程へと送られる。【００３７】  前記一体化工程では、例えばヒータパネルと加圧ローラの組み合わせからなる一体化装置（ヒートローラ等の加熱・加圧装置でも構わない）により加熱・加圧処理が施され、対向する疑似接着フィルムシートＧ同士が剥離可能に疑似接着一体化されて折り畳み封書Ｊ３として完成される。【００３８】［実施例７：折り畳み封書Ｊ４］
本実施例の折り畳み封書Ｊ４は図１０（Ａ）、（Ｂ）及び（Ｃ）に示すように、封書本体を形成する第三葉片３３及び第四葉片３４の折り畳まれた対向面間に、それぞれの葉片に連接する第一葉片３１と第二葉片３２及び第五葉片３５と第六葉片３６が折り畳まれて挟み込まれる二重の観音開き折りの形態となっている。【００３９】  この折り畳み封書の受取人は、図１０（Ｃ）に示す第二葉片３２及び第五葉片３５間に介在する疑似接着フィルムシートＧ同士の間から剥離を開始する。その後内側に折り込まれている各葉片を開いて図１１（Ａ）、（Ｂ）及び（Ｃ）に示すように平面に展開することができる。そして透明或いは半透明の各種フィルムシートが被覆されている面は前記各種フィルムシートを透して、或いは何も被覆されていない面はそのまま各種情報を読み取ることが出来るのである。【００４０】［実施例８：折り畳み封書Ｊ４の製造方法］
図１１（Ａ）に示すように本発明の折り畳み封書Ｊ４の製造に使用する封書シートＳ４は、第一葉片３１、第二葉片３２、第三葉片３３、第四葉片３４、第五葉片３５及び第六葉片３６が折り線３７、３８、３９、４０及び４１を介して横方向に連接されている。そして公知のラミネータに積載され一枚ずつ繰り出されると、図１１（Ａ）、（Ｂ）及び（Ｃ）に示すように疑似接着フィルムシートＧ及びフィルムシートＦがそれぞれの予定面に被覆される。なお前記各種フィルムシートはロールから連続的に繰り出されるために、順次繰り出される封書シートＳ４は前記各種フィルムシートに被覆され切れ目のない連続状態となり下流の折り畳み工程へ送られる。【００４１】  折り畳み工程で初めに封書シートＳ４は、図１２（Ａ）に示すように折り線３７及び４１から第一葉片３１及び第六葉片３６をそれぞれ第二葉片３２裏面及び第五葉片３５裏面と対向するように折り畳まれる。【００４２】  続いて図１２（Ｂ）に示すように、折り線３８及び４０から第二葉片３２及び第一葉片３１と第五葉片３５及び第六葉片３６を内側へ折り畳まれて同図（Ｂ）の状態になる。そして最終的に折り線３９から二つ折りに折り畳まれるのである。【００４３】  既述の通り折り畳まれた封書シートＳ４は、フィルムが各葉片の天地からはみ出した状態で個別に断裁され、図１０（Ａ）、（Ｂ）及び（Ｃ）に示す状態（接着は実行されていない）となり続く一体化工程へと送られる。【００４４】  前記一体化工程では、例えばヒータパネルと加圧ローラの組み合わせからなる一体化装置（ヒートローラ等の加熱・加圧装置でも構わない）により加熱・加圧処理が施され、対向する疑似接着フィルムシートＧ同士が剥離可能に疑似接着一体化されて折り畳み封書Ｊ４として完成される。【００４５】  なお本発明は上記実施例に限られるものではない。
例えば、封書の本体を構成する２葉片に連接される葉片の数や幅に制限はない。また折り畳みの形態にも制限はなく、封書の本体を構成する二葉片に挟まれて折り込まれる形態であれば巻折りやジグザグ折り及びそれらの混合形態でも構わず、また観音開き折りに関しても折り込まれる葉片の数に制限はなく、例えば封書本体を構成する二葉片の外側に連接する葉片の数が異なり非対象の形態で折り込まれていても構わない。【００４６】  なお前記各実施例では、封書本体を構成する連接する２葉片のほぼ全面を一枚のフィルムシートＦで連続的に被覆しているが、例えば折り線を挟んで二枚のフィルムシートＦで分割して被覆しても構わない。
【符号の説明】
【００４７】  Ｊ１、Ｊ２、Ｊ３、Ｊ４  折り畳み封書
Ｓ１、Ｓ２、Ｓ３、Ｓ４  封書シート
Ｇ  疑似接着フィルムシート
Ｆ  フィルムシート
１、２、３、１１、１２、１３、１４、２１、２２、２３、２４、３１、３２、３３、３４、３５、３６  葉片
４、５、１５、１６、１７、２５、２６、２７、３７、３８、３９、４０、４１  折り線
５１  基材
５２  感熱接着剤層
５３  疑似接着層
【図１】
2017114104.tif 000003
【図２】
2017114104.tif 000004
【図３】
2017114104.tif 000005
【図４】
2017114104.tif 000006
【図５】
2017114104.tif 000007
【図６】
2017114104.tif 000008
【図７】
2017114104.tif 000009
【図８】
2017114104.tif 000010
【図９】
2017114104.tif 000011
【図１０】
2017114104.tif 000012
【図１１】
2017114104.tif 000013
【図１２】
2017114104.tif 000014
【図１３】
2017114104.tif 000015